(57)【要約】      （修正有）【課題】ケーシングのパネルの外面において結露を防止する。【解決手段】空調装置は、内部に冷媒回路が収容されたケーシング１０を備えている。このケーシング１０は、支柱となるチャンネル部材４１と、そのチャンネル部材４１に固定されるパネル１２とを有している。チャンネル部材４１は、断面コの字状に形成され、ケーシング１０内において開口している。そして、このチャンネル部材４１には、ケーシング１０内において、チャンネル部材４１の開口を蓋して断熱空間を形成し、さらに、チャンネル部材４１の外面の露出部分を覆って断熱する断熱カバー４５が取り付けられている。【選択図】図５
2014129983.tif 000002
【特許請求の範囲】
【請求項１】
フレーム（40）と該フレーム（40）に固定されたパネル（12）とを有するケーシング（10）と、
該ケーシング（10）に収容され、冷媒回路（30）に接続された蒸発器（34）とを備えた空調装置であって、
上記フレーム（40）は、断面コの字状に形成されて上記ケーシング（10）内で開口し上記パネル（12）が固定されたチャンネル部材（41）と、上記ケーシング（10）内において、上記チャンネル部材（41）の開口を蓋して該チャンネル部材（41）の内部に断熱空間を形成すると共に上記チャンネル部材（41）の外面の露出部分を覆って断熱する断熱カバー（45）とを有している
ことを特徴とする空調装置。
【請求項２】
請求項１において、
上記断熱カバー（45）は、断面コの字状に形成され、コの字の真ん中部分である中板部（46a）で上記チャンネル部材（41）の開口を蓋し、コの字の両端部分である２つの端板部（46b,46c）の内、少なくとも一方の端板部（46b,46c）で上記チャンネル部材（41）の外面の露出部分を覆う板金部材（46）と、該板金部材（46）と上記チャンネル部材（41）との間に挟まれて断熱する断熱材（47）とを有している
ことを特徴とする空調装置。
【請求項３】
請求項２において、
上記チャンネル部材（41）は、上記ケーシング（10）のコーナ部において、コの字の真ん中部分である中辺部（41a）の外面と、コの字の両端部分である２つの端辺部（41b,41c）の内、一方の端辺部（41b）の外面とに上記パネル（12）がそれぞれ固定され、
上記断熱カバー（45）の板金部材（46）は、２つの端板部（46b,46c）の内、一方の端板部（46b）が、上記断熱材（47）を間に挟んで、上記パネル（12）が固定された端辺部（41b）の内面に接触し、他方の端板部（46c）が、上記断熱材（47）を間に挟んで、上記パネル（12）が固定されていない端辺部（41c）の外面に接触してネジで固定されている
ことを特徴とする空調装置。
【請求項４】
請求項１において、
上記断熱カバー（45）は、樹脂材料によって形成されている
ことを特徴とする空調装置。
【発明の詳細な説明】
【技術分野】
【０００１】
本発明は、室内を空調する空調装置に関し、特に、ケーシングの外面における結露防止策に係るものである。
【背景技術】
【０００２】
従来より、室内を空調する空調装置が知られている。例えば、特許文献１に開示の空調装置は、ケーシングと、圧縮機、凝縮器、膨張弁、及び蒸発器が順に接続された冷媒回路と、ファンとを備えている。ケーシングの内部は、機械室とファン室とに区画され、機械室には圧縮機と凝縮器と膨張弁とが収容され、ファン室には蒸発器とファンとが収容されている。この空調装置では、ファンを駆動させると、室外空気がダクトを介してファン室へと送られ、蒸発器へ流入する。蒸発器では、室外空気と冷媒とが熱交換し、冷媒が蒸発することによって室外空気が冷却される。そして、蒸発器で冷却された空気は、ファン室からダクトを介して室内（この場合、船室）へと送られ、室内が冷房される。
【先行技術文献】
【特許文献】
【０００３】
【特許文献１】特開２００８−８５４３号公報
【発明の概要】
【発明が解決しようとする課題】
【０００４】
従来の空調装置では、図８に示すように、通常、断面コの字状のフレーム（40）にパネル（12）を取り付けたケーシング構造が採用されている。そして、ケーシング（10）内（ファン室（21）内）の冷熱がパネル（12）へ伝達されてパネル（12）の外面が結露しないように、パネル（12）の内面にガラスウール等の断熱材（43）が貼り付けられている。
【０００５】
しかし、従来の空調装置では、貼り付け困難という観点から、フレーム（40）の露出面に断熱材（43）が貼り付けられていない。そのため、ケーシング（10）内（ファン室（21）内）の冷熱がフレーム（40）を介してパネル（12）へと伝達され、パネル（12）外面のフレーム（40）に対応する部分が結露することがあった。そして、その時に、結露水が垂れてパネル（12）の外面に取り付けられた電装品箱へと浸入し、電装品箱内の電装部品がショートする等の問題が生じていた。
【０００６】
本発明は、このような問題点に鑑みてなされたものであり、その目的は、断面コの字状のフレームを断熱して、パネルの外面の結露を防止することにある。
【課題を解決するための手段】
【０００７】
第１の発明は、フレーム（40）と該フレーム（40）に固定されたパネル（12）とを有するケーシング（10）と、該ケーシング（10）に収容され、冷媒回路（30）に接続された蒸発器（34）とを備えた空調装置を対象としている。そして、上記フレーム（40）は、断面コの字状に形成されて上記ケーシング（10）内で開口し上記パネル（12）が固定されたチャンネル部材（41）と、上記ケーシング（10）内において、上記チャンネル部材（41）の開口を蓋して該チャンネル部材（41）の内部に断熱空間を形成すると共に上記チャンネル部材（41）の外面の露出部分を覆って断熱する断熱カバー（45）とを有しているものである。
【０００８】
上記第１の発明では、ケーシング（10）内において、チャンネル部材（41）と断熱カバー（45）との間に断熱空間が形成され、さらに、チャンネル部材（41）の外面の露出部分が断熱カバー（45）に覆われて断熱されている。そのため、ケーシング（10）内の冷熱がチャンネル部材（41）を介してパネル（12）へと伝達される熱伝達が抑制される。
【０００９】
第２の発明は、上記第１の発明において、上記断熱カバー（45）は、断面コの字状に形成され、コの字の真ん中部分である中板部（46a）で上記チャンネル部材（41）の開口を蓋し、コの字の両端部分である２つの端板部（46b,46c）の内、少なくとも一方の端板部（46b,46c）で上記チャンネル部材（41）の外面の露出部分を覆う板金部材（46）と、該板金部材（46）と上記チャンネル部材（41）との間に挟まれて断熱する断熱材（47）とを有しているものである。
【００１０】
上記第２の発明では、ケーシング（10）内の冷熱が板金部材（46）へ伝達されても、板金部材（46）からチャンネル部材（41）への冷熱の伝達が、断熱空間と断熱材（47）とによって抑えられる。さらに、板金部材（46）をチャンネル部材（41）に取り付けることで、フレーム（40）の強度が高くなる。
【００１１】
第３の発明は、上記第２の発明において、上記チャンネル部材（41）は、上記ケーシング（10）のコーナ部において、コの字の真ん中部分である中辺部（41a）の外面と、コの字の両端部分である２つの端辺部（41b,41c）の内、一方の端辺部（41b）の外面とに上記パネル（12）がそれぞれ固定され、上記断熱カバー（45）の板金部材（46）は、２つの端板部（46b,46c）の内、一方の端板部（46b）が、上記断熱材（47）を間に挟んで、上記パネル（12）が固定された端辺部（41b）の内面に接触し、他方の端板部（46c）が、上記断熱材（47）を間に挟んで、上記パネル（12）が固定されていない端辺部（41c）の外面に接触してネジで固定されているものである。
【００１２】
上記第３の発明では、板金部材（46）の一方の端板部（46c）を、パネル（12）が固定されていない端辺部（41c）の外面にネジで固定するだけで、板金部材（46）の他方の端板部（46b）がパネル（12）が固定された端辺部（41b）の内面へと押し付けられ、板金部材（46）全体が安定して固定される。
【００１３】
第４の発明は、上記第１の発明において、上記断熱カバー（45）は、樹脂材料によって形成されているものである。
【００１４】
上記第４の発明では、断熱カバー（45）が樹脂材料によって形成されているため、断熱カバー（45）の断熱性が高くなり、ケーシング（10）内の冷熱がチャンネル部材（41）を介してパネル（12）へと伝達される熱伝達がより確実に抑制される。
【発明の効果】
【００１５】
本発明によれば、フレーム（40）のチャンネル部材（41）に、断熱カバー（45）を取り付けるようにした。そして、この断熱カバー（45）によって、コの字状のチャンネル部材（41）の開口を蓋してチャンネル部材（41）の内部に断熱空間を形成し、さらに、チャンネル部材（41）の外面の露出部分を覆って断熱するようにした。こうすることで、ケーシング（10）内の冷熱がチャンネル部材（41）を介してパネル（12）へ伝達されるのを抑えることができ、パネル（12）の外面の結露を防止することができる。その結果、例えば、パネル（12）の外面で結露した水が電装品箱内へと浸入して、電装品箱内の電装部品がショートするのを防ぐことができる。
【００１６】
第２の発明によれば、断熱カバー（45）を断面コの字状の板金部材（46）と断熱材（47）とによって構成するようにした。そして、板金部材（46）の中板部（46a）でチャンネル部材（41）の開口を蓋して断熱空間を形成し、板金部材（46）の２つの端板部（46b,46c）の内、少なくとも一方の端板部（46b,46c）でチャンネル部材（41）の外面の露出部分を覆うようにした。さらに、板金部材（46）とチャンネル部材（41）との間に、断熱材（47）を挟むようにした。こうすることで、ケーシング（10）内の冷熱が板金部材（46）へ伝達されても、板金部材（46）からチャンネル部材（41）への冷熱の伝達を断熱空間と断熱材（47）とによって抑えることができ、パネル（12）の外面の結露を防止することができる。さらに、板金部材（46）によってフレーム（40）の強度を高めることができる。
【００１７】
第３の発明によれば、ケーシング（10）のコーナ部に位置するチャンネル部材（41）に対して、板金部材（46）の一方の端板部（46b）を、パネル（12）が固定された端辺部（41b）の内面に接触させ、板金部材（46）の他方の端板部（46c）を、パネル（12）が固定されていない端辺部（41c）の外面に接触させてネジで固定するようにした。これにより、板金部材（46）の安定した取り付けを容易に行うことができる。
【００１８】
第４の発明によれば、断熱カバー（45）を樹脂材料によって形成するようにした。これにより、断熱カバー（45）の断熱性を高くすることができ、パネル（12）の外面の結露をより確実に防止することができる。
【図面の簡単な説明】
【００１９】
【図１】図１は、実施形態に係る空調装置の概略構成図である。
【図２】図２は、図１において、ケーシングのパネルを外した状態を示す図である。
【図３】図３は、実施形態に係る空調装置の概略断面図である。
【図４】図４は、実施形態に係る空調装置の配管系統図である。
【図５】図５は、実施形態に係るケーシングの横断面の要部拡大図である。
【図６】図６は、その他の実施形態に係るケーシングの横断面の要部拡大図である。
【図７】図７は、その他の実施形態に係るケーシングの横断面の要部拡大図である。
【図８】図８は、従来のケーシングの横断面の要部拡大図である。
【発明を実施するための形態】
【００２０】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２１】
本発明の実施形態の空調装置（1）は、例えば、船舶のデッキに載置され、室外空気を吸い込んで冷却し、冷却された空気を室内（船室）へ供給するものである。図１及び図２に示すように、空調装置（1）は、ケーシング（10）と、圧縮機ユニット（31）と、凝縮器（32）と、膨張弁（33）（図示省略）と、蒸発器（34）と、ファン（35）とを備えている。
【００２２】
ケーシング（10）は、略直方体形状に形成され、基台（11）と、該基台（11）の上に組まれたフレーム（40）と、該フレーム（40）に固定されたパネル（12）とを備えている。尚、フレーム（40）の構造については、後で詳述する。
【００２３】
図３に示すように、ケーシング（10）の前面には、電装品箱（15）が取り付けられている。また、ケーシング（10）の後面には、概ね全面に亘って吸入口（16）が開口し、その吸入口（16）には、室外空気を空調装置（1）内へ吸い込むための吸込ダクト（18）が接続されている。また、ケーシング（10）の上面には、中央付近に吹出口（17）が開口し、その吹出口（17）には、空調装置（1）で冷却された空気を船室（室内）へ供給するための給気ダクト（19）が接続されている。
【００２４】
ケーシング（10）の内部は、仕切板（20）によって概ね上下に区画されている。具体的に、仕切板（20）よりも上側には、上記吸入口（16）及び吹出口（17）を有するファン室（21）が形成され、下側には機械室（22）が形成されている。ファン室（21）には、蒸発器（34）とファン（35）とが配置され、機械室（22）には、圧縮機ユニット（31）と凝縮器（32）と膨張弁（33）（図示省略）とが配置されている。
【００２５】
図４に示すように、圧縮機ユニット（31）と、凝縮器（32）と、膨張弁（33）と、蒸発器（34）とは、配管によって順に接続され、冷媒が循環して冷凍サイクルを行う冷媒回路（30）が形成されている。
【００２６】
圧縮機ユニット（31）は、冷媒回路（30）の冷媒を圧縮するものであり、４つの圧縮機（31a〜31d）を備えている。これら４つの圧縮機（31a〜31d）は、いわゆる全密閉型のスクロール圧縮機であって、互いに並列に接続された状態で、吐出側が凝縮器（32）に接続され、吸入側が蒸発器（34）に接続されている。尚、圧縮機ユニット（31）の圧縮機（31a〜31d）の台数は、単なる一例であり、これに限定されるものではない。
【００２７】
凝縮器（32）は、いわゆるシェル・アンド・チューブ型の水熱交換器であって、供給された水（例えば、海水）と冷媒とが熱交換し、該冷媒が凝縮するように構成されている。
【００２８】
膨張弁（33）は、開度可変の電子膨張弁によって構成されている。
【００２９】
蒸発器（34）は、いわゆるクロスフィン型のフィン・アンド・チューブ熱交換器であって、ファン室（21）内において、吸入口（16）を覆うように、ケーシング（10）に取り付けられている。この蒸発器（34）は、吸入口（16）から吸い込まれた室外空気と冷媒とが熱交換し、冷媒が蒸発する一方、室外空気が冷却されるように構成されている。
【００３０】
図２及び図３に示すように、ファン（35）は、両吸込多翼式の送風機であって、室外空気を吸込ダクト（18）からファン室（21）内へ吸い込んで、蒸発器（34）へ流入させ、蒸発器（34）で冷却された空気を給気ダクト（19）を介して船室（室内）へ送るものである。このファン（35）は、ファンケーシング（35a）と羽根車（35b）とを備えている。
【００３１】
ファンケーシング（35a）は、略渦巻状に形成され、中央部に吸込口（35c）、上部に吹出口（35d）がそれぞれ形成されている。ファンケーシング（35a）の吸込口（35c）は、ファン室（21）内に開口し、ファンケーシング（35a）の吹出口（35d）はケーシング（10）の吹出口（17）に接続されている。
【００３２】
羽根車（35b）は、ファンケーシング（35a）内に収容されている。この羽根車（35b）は、その回転軸がベルト（36）を介してファンモータ（37）に接続されており、ファンモータ（37）の駆動によって回転するように構成されている（図２参照）。
【００３３】
〈ケーシングのフレームの構成〉
次に、ケーシング（10）のフレーム（40）の詳細な構造について説明する。ここでは、代表して、ケーシング（10）の左前側のコーナ部に位置するフレーム（40a）の構造について、図５を参照しながら説明する。このフレーム（40a）は、チャンネル部材（41）と断熱カバー（45）とを備えている。
【００３４】
チャンネル部材（41）は、断面コの字状に形成された金属製の支柱であって、ケーシング（10）内において、コの字の開口が後方を向くように配置されている。チャンネル部材（41）は、コの字の真ん中部分である中辺部（41a）と、コの字の両端部分である２つの端辺部（41b,41c）とを有している。中辺部（41a）の外面には、前側のパネル（12a）が、シール材（42）を挟んだ状態で、ネジで固定されている。また、２つの端辺部（41b,41c）の内、左側の端辺部（41b）（以下、左端辺部と言う）の外面には、左側のパネル（12b）が、シール材（42）を挟んだ状態で、ネジで固定されている。
【００３５】
前側のパネル（12a）及び左側のパネル（12b）には、それぞれ内面に断熱材（43）が貼り付けられている。この断熱材（43）は、例えば、ガラスウールで構成されている。断熱材（43）は、各パネル（12a,12b）の内面において、チャンネル部材（41）の位置まで延びている。
【００３６】
断熱カバー（45）は、チャンネル部材（41）を断熱するものであり、板金部材（46）と断熱材（47）とを備えている。
【００３７】
板金部材（46）は、断面コの字状に折り曲げて形成された金属製の板材であって、ケーシング（10）内において、コの字の開口が前方を向くように配置されている。
【００３８】
板金部材（46）は、コの字の真ん中部分である中板部（46a）と、コの字の両端部分である２つの端板部（46b,46c）とを有している。この２つの端板部（46b,46c）の内、左側の端板部（46b）（以下、左端板部と言う）は、チャンネル部材（41）の左端辺部（41b）の内面側に配置され、右側の端板部（46c）（以下、右端板部と言う）は、チャンネル部材（41）の右側の端辺部（41c）（以下、右端辺部と言う）の外面側において外面の露出部分を覆うように配置されている。そして、中板部（46a）は、２つの端板部（46b,46c）の間で、チャンネル部材（41）の開口を蓋して該チャンネル部材（41）の内部に断熱空間（49）を形成するように配置されている。
【００３９】
断熱材（47）は、板金部材（46）とチャンネル部材（41）との間を断熱するものである。この断熱材（47）は、例えば、ゴム材料で構成され、板金部材（46）の右端板部（46c）とチャンネル部材（41）の右端辺部（41c）との間と、板金部材（46）の左端板部（46b）とチャンネル部材（41）の左端辺部（41b）との間に挟まれている。
【００４０】
この断熱カバー（45）は、板金部材（46）の右端板部（46c）がチャンネル部材（41）の右端辺部（41c）にネジ（48）で固定されている。このネジ（48）を締めると、板金部材（46）の右端板部（46c）はチャンネル部材（41）の右端辺部（41c）に固定され、さらに、板金部材（46）の左端板部（46b）はチャンネル部材（41）の左端辺部（41b）へ押し付けられる。このようにして、板金部材（46）全体が安定してチャンネル部材（41）に固定される。
【００４１】
−運転動作−
次に、この空調装置（1）の運転動作について説明する。
【００４２】
図４に示すように、圧縮機ユニット（31）の圧縮機（31a〜31d）を起動すると、冷媒は矢印の方向に流れ、圧縮機（31a〜31d）で圧縮された高温高圧の冷媒が凝縮器（32）へ流入する。
【００４３】
凝縮器（32）では、冷媒が供給された水（例えば、海水）と熱交換し、凝縮する。そして、凝縮した冷媒は、凝縮器（32）から膨張弁（33）へ送られて減圧され、その後、蒸発器（34）へと流入する。
【００４４】
蒸発器（34）では、冷媒と吸込ダクト（18）からファン室（21）内へ流入した室外空気とが熱交換し、冷媒は吸熱して蒸発する一方、室外空気は冷却される。そして、蒸発した冷媒は、蒸発器（34）から圧縮機ユニット（31）の圧縮機（31a〜31d）へと送られ、圧縮機（31a〜31d）で再び圧縮される。一方、冷却された室外空気は、ファン室（21）内のファン（35）によって、ファン室（21）から給気ダクト（19）を介して船室（室内）へと送られ、船室内が冷房される。
【００４５】
空調装置（1）では、運転動作中、蒸発器（34）で室外空気が冷却されると、ファン室（21）内が冷却される。そして、ファン室（21）内の冷熱がフレーム（40）のチャンネル部材（41）を介してパネル（12）へ伝達されてしまうと、パネル（12）の外面が結露する虞がある。
【００４６】
しかし、本実施形態では、チャンネル部材（41）に断熱カバー（45）が取り付けられている。そして、ケーシング（10）内において、チャンネル部材（41）と断熱カバー（45）との間に断熱空間（49）が形成され、さらに、チャンネル部材（41）の外面の露出部分が断熱カバー（45）に覆われて断熱されている。そのため、ケーシング（10）内の冷熱がフレーム（40）のチャンネル部材（41）を介してパネル（12）へと伝達される熱伝達が抑えられ、その結果、パネル（12）の外面の結露が防止される。
【００４７】
−実施形態の効果−
本実施形態では、フレーム（40）のチャンネル部材（41）に、断熱カバー（45）を取り付けるようにした。そして、この断熱カバー（45）によって、コの字状のチャンネル部材（41）の開口を蓋してチャンネル部材（41）の内部に断熱空間を形成し、さらに、チャンネル部材（41）の外面の露出部分を覆って断熱するようにした。こうすることで、ケーシング（10）内の冷熱がチャンネル部材（41）を介してパネル（12）へ伝達されるのを抑えることができ、パネル（12）の外面の結露を防止することができる。その結果、例えば、パネル（12）の外面で結露した水が電装品箱（15）内へと浸入して、電装品箱（15）内の電装部品がショートするのを防ぐことができる。
【００４８】
また、本実施形態では、例えば、チャンネル部材（41）の複数の露出面（開口の内面を含む）に別々に断熱材を貼り付けて断熱する場合と比べて、部品点数と組立工数を減らすことができ、空調装置（1）のコストダウンを図ることができる。
【００４９】
また、本実施形態では、断熱カバー（45）を、断面コの字状の板金部材（46）と断熱材（47）とによって構成するようにした。そして、板金部材（46）の中板部（46a）でチャンネル部材（41）の開口を蓋して断熱空間（49）を形成し、さらに、板金部材（46）の右端板部（46c）でチャンネル部材（41）の外面の露出部分を覆うようにした。さらに、板金部材（46）とチャンネル部材（41）との間に、断熱材（47）を挟むようにした。こうすることで、ケーシング（10）内の冷熱が板金部材（46）へ伝達されても、板金部材（46）からチャンネル部材（41）への冷熱の伝達を断熱空間（49）と断熱材（47）とによって抑えることができ、パネル（12）の外面の結露を防止することができる。さらに、板金部材（46）によってフレーム（40）の強度を高めることができる。
【００５０】
また、本実施形態では、板金部材（46）の左端板部（46b）を、断熱材（47）を挟んだ状態で、チャンネル部材（41）の左端辺部（41b）の内面に接触させ、板金部材（46）の右端板部（46c）を、断熱材（47）を挟んだ状態で、チャンネル部材（41）の右端辺部（41c）の外面に接触させてネジ（48）で固定するようにした。これにより、右端板部（46c）を右端辺部（41c）に固定しつつ、左端板部（46b）を左端辺部（41b）へ押し付けることができ、板金部材（46）の安定した取り付けを容易に行うことができる。
【００５１】
《その他の実施形態》
上記実施形態では、ケーシング（10）内に、冷媒回路（30）全体が収容されている。しかし、空調装置（1）の構成はこれに限らず、ケーシング（10）内に少なくとも蒸発器（34）が収容されて、ケーシング（10）内の空気が冷却されるものであれば、他の構成でも構わない。
【００５２】
また、上記実施形態では、断熱カバー（45）が、板金部材（46）と断熱材（47）とによって構成されている。しかし、この断熱カバー（45）の構成はこれに限らず、例えば、図６に示すように、断熱カバー（45）全体を樹脂材料によって構成しても構わない。これにより、断熱カバー（45）の断熱性を高くすることができ、パネル（12）の外面の結露をより確実に防止することができる。
【００５３】
また、上記実施形態では、ケーシング（10）内におけるチャンネル部材（41）の外面の露出部分が右端辺部（41c）にしかない。そのため、板金部材（46）の右端板部（46c）によって、その露出部分を覆っている。しかし、図７に示すように、ケーシング（10）内におけるチャンネル部材（41）の外面の露出部分が、右端辺部（41c）と左端辺部（41b）の両方にある場合は、板金部材（46）の右端板部（46c）で右端辺部（41c）の露出部分を覆うだけでなく、板金部材（46）の左端板部（46b）で左端辺部（41b）の露出部分を覆うようにしても良い。
【００５４】
また、上記実施形態では、ネジ（48）によって、断熱カバー（45）がチャンネル部材（41）に取り付けられている。しかし、断熱カバー（45）の取り付け方法はこれに限らず、接着剤や粘着テープ等によって、断熱カバー（45）をチャンネル部材（41）に取り付けても良い。
【産業上の利用可能性】
【００５５】
本発明は、冷媒回路を備え、冷却した空気を室内へ供給する空調装置について有用である。
【符号の説明】
【００５６】
１      空調装置
１０      ケーシング
１２      パネル
３０      冷媒回路
３４      蒸発器
４０      フレーム
４１      チャンネル部材
４１ａ    中辺部
４１ｂ    左端辺部（端辺部）
４１ｃ    右端辺部（端辺部）
４５      断熱カバー
４６      板金部材
４６ａ    中板部
４６ｂ    左端板部（端板部）
４６ｃ    右端板部（端板部）
４７      断熱材
【図１】
2014129983.tif 000003
【図２】
2014129983.tif 000004
【図３】
2014129983.tif 000005
【図４】
2014129983.tif 000006
【図５】
2014129983.tif 000007
【図６】
2014129983.tif 000008
【図７】
2014129983.tif 000009
【図８】
2014129983.tif 000010